(57)【要約】【課題】撮影の即時性が失われることを抑制する。【解決手段】撮影装置に撮影を指示する撮影指示装置と、該撮影装置とがネットワークを介して接続された撮影システムであって、撮影指示装置は、撮影装置に連続撮影要求、及び該連続撮影要求から所定時間後に本撮影要求を送信する送信手段と、を備え、撮影装置は、連続撮影要求、及び本撮影要求を受信する受信手段と、受信手段により連続撮影要求を受信したとき、撮影部に連続撮影させる撮影制御手段と、撮影部により連続撮影された画像に該画像が撮影された時刻を特定する時刻情報を関連付けて記憶する記憶手段と、受信手段により本撮影要求を受信したとき、該本撮影要求に含まれる時刻情報で特定される時刻に近い時刻に撮影された画像を記憶部に記憶された画像の中から決定する決定手段と、を備える。【選択図】図５
2017118303.tif 000002
【特許請求の範囲】
【請求項１】
撮影装置に撮影を指示する撮影指示装置と、該撮影装置とがネットワークを介して接続された撮影システムであって、
前記撮影指示装置は、
前記撮影装置に連続撮影要求、及び該連続撮影要求から所定時間後に本撮影要求を送信する送信手段と、を備え、
前記撮影装置は、
前記連続撮影要求、及び前記本撮影要求を受信する受信手段と、
前記受信手段により前記連続撮影要求を受信したとき、撮影部に連続撮影させる撮影制御手段と、
前記撮影部により連続撮影された画像に該画像が撮影された時刻を特定する時刻情報を関連付けて記憶する記憶手段と、
前記受信手段により前記本撮影要求を受信したとき、該本撮影要求に含まれる時刻情報で特定される時刻に近い時刻に撮影された画像を前記記憶手段に記憶された画像の中から決定する決定手段と、
を備えることを特徴とする撮影システム。
【請求項２】
前記撮影装置は、前記撮影指示装置における時刻を特定する時刻情報に基づいて、前記撮影指示装置における時刻と自装置における時刻とを合わせる時間管理手段を備えることを特徴とする請求項１記載の撮影システム。
【請求項３】
前記時間管理手段は、前記受信手段により前記連続撮影要求を受信したとき、前記撮影指示装置における時刻と自装置における時刻とを合わせることを特徴とする請求項２記載の撮影システム。
【請求項４】
前記時間管理手段は、前記受信手段により前記本撮影要求を受信したとき、前記撮影指示装置における時刻と自装置における時刻とを合わせ、
前記決定手段は、前記本撮影要求に含まれる時刻情報で特定される時刻に近い時刻に撮影された画像を前記記憶手段に記憶された画像の中から決定する際、前記時間管理手段により前記撮影指示装置における時刻に合わせられた自装置における時刻を参照することを特徴とする請求項２記載の撮影システム。
【請求項５】
前記撮影装置は、前記撮影部により連続撮影された画像のうち、前記決定手段により決定された画像以外の画像を削除することを特徴とする請求項１から４の何れか１項に記載の撮影システム。
【請求項６】
連続撮影を指示する連続撮影指示手段と、
連続撮影指示手段により連続撮影を指示されたとき、撮影部に連続撮影させる撮影制御手段と、
前記撮影部により連続撮影された画像に該画像が撮影された時刻を特定する時刻情報を関連付けて記憶する記憶手段と、
本撮影を指示する本撮影指示手段と、
前記本撮影指示手段により本撮影を指示されたとき、該本撮影の指示に含まれる時刻情報で特定される時刻に近い時刻に撮影された画像を前記記憶手段に記憶された画像の中から決定する決定手段と、
を備えることを特徴とする撮影システム。
【請求項７】
撮影を指示する撮影指示装置とネットワークを介して接続された撮影装置であって、
前記撮影装置から、連続撮影要求、及び該連続撮影要求から所定時間後に本撮影要求を受信する受信手段と、
前記受信手段により前記連続撮影要求を受信したとき、撮影部に連続撮影させる撮影制御手段と、
前記撮影部により連続撮影された画像に該画像が撮影された時刻を特定する時刻情報を関連付けて記憶する記憶手段と、
前記受信手段により前記本撮影要求を受信したとき、該本撮影要求に含まれる時刻情報で特定される時刻に近い時刻に撮影された画像を前記記憶手段に記憶された画像の中から決定する決定手段と、
を備えることを特徴とする撮影装置。
【請求項８】
撮影装置に撮影を指示する撮影指示装置と、該撮影装置とがネットワークを介して接続されたシステムの撮影方法であって、
前記撮影指示装置が、前記撮影装置に連続撮影要求を送信するステップと、
前記撮影装置が、前記連続撮影要求を受信するステップと、
前記撮影装置が、前記連続撮影要求を受信したとき、撮影部に連続撮影させるステップと、
前記撮影装置が、前記撮影部により連続撮影された画像に該画像が撮影された時刻を特定する時刻情報を関連付けて記憶部に記憶するステップと、
前記撮影指示装置が、前記連続撮影要求の送信から所定時間後に本撮影要求を送信するステップと、
前記撮影装置が、前記本撮影要求を受信したとき、該本撮影要求に含まれる時刻情報で特定される時刻に近い時刻に撮影された画像を前記記憶部に記憶された画像の中から決定するステップと、
を含むことを特徴とする撮影方法。
【請求項９】
連続撮影の指示を受けて、撮影部に連続撮影させる処理と、
前記撮影部により連続撮影された画像に該画像が撮影された時刻を特定する時刻情報を関連付けて記憶部に記憶する処理と、
本撮影の指示を受けて、該本撮影の指示に含まれる時刻情報で特定される時刻に近い時刻に撮影された画像を前記記憶部に記憶された画像の中から決定する処理と、
をコンピュータに実行させることを特徴とする撮影制御プログラム。
【発明の詳細な説明】
【技術分野】
【０００１】
本発明は、撮影システム、撮影装置、撮影方法、及び撮影制御プログラムに関する。
【背景技術】
【０００２】
例えば特許文献１に記載されているように、ネットワークを介して複数の撮影装置間で同期撮影する技術が既に知られている。
【発明の概要】
【発明が解決しようとする課題】
【０００３】
ここで、例えば特許文献１においては、時間情報を撮影装置間で合わせ、撮影開始時刻を相互に合わせることで、同時撮影を実現している。
【０００４】
しかし、例えば特許文献１のような従来技術では、複数の撮影装置による同時撮影を行うために、主装置からの撮影開始指示から、所定時間遅らせた時間に実際の撮影を行うため、撮影開始指示から実際の撮影までにタイムラグが発生する。
【０００５】
かかる問題点について、図７に示した従来の処理概要の例を示して説明する。従来は、カメラと撮影指示装置とで予め時刻を同期させておき、撮影準備時刻である「１５：５９：５９：８００」のあと撮影ボタンを押下げする指示を送っている。このときの時間をここでは基準時間と呼び、例えば基準時間が「１６：００：００．０００」であるとする。そして、上記指示の中に撮影開始時刻を含ませて同時性を高めている。
【０００６】
他方、上記の指示がカメラに届くまでには無線通信分の時間があり，撮影開始時刻は基準時間と同一時刻にするわけにはいかない。そのため少なくとも、無線通信分の時間を足さなければならない。例えば、ここでは加算時間を「１００ｍｓ」とする。
【０００７】
そして、ネットワークが不安定でも同期撮影できるようにマージンを足すことで、撮影開始時刻が決定される。なお、ここではそのマージンを「１５０ｍｓ」とする。この場合、撮影開始時刻は「１６：００：００．２５０」となる。つまり、撮影ボタンを押下した基準時間から「２５０ｍｓ」もの遅れが生じてしまう。つまり、従来技術においては、撮影の即時性が失われてしまっている。
【０００８】
本発明は、上述した実情に鑑みてなされたものであって、撮影の即時性が失われることを抑制することを目的とする。
【課題を解決するための手段】
【０００９】
上述した課題を解決するため、本発明の撮影システムは、撮影装置に撮影を指示する撮影指示装置と、該撮影装置とがネットワークを介して接続された撮影システムであって、撮影指示装置は、撮影装置に連続撮影要求、及び該連続撮影要求から所定時間後に本撮影要求を送信する送信手段と、を備え、撮影装置は、連続撮影要求、及び本撮影要求を受信する受信手段と、受信手段により連続撮影要求を受信したとき、撮影部に連続撮影させる撮影制御手段と、撮影部により連続撮影された画像に該画像が撮影された時刻を特定する時刻情報を関連付けて記憶する記憶手段と、受信手段により本撮影要求を受信したとき、該本撮影要求に含まれる時刻情報で特定される時刻に近い時刻に撮影された画像を記憶手段に記憶された画像の中から決定する決定手段と、を備えることを特徴とする。
【発明の効果】
【００１０】
本発明によれば、撮影の即時性が失われることを抑制することが可能になる。
【図面の簡単な説明】
【００１１】
【図１】本発明の実施形態における撮影システムの概略構成図である。
【図２】本発明の実施形態における撮影指示装置のハードウェア構成図である。
【図３】本発明の実施形態における撮影装置のハードウェア構成図である。
【図４】本発明の実施形態における撮影システムの機能ブロック図である。
【図５】本発明の実施形態における処理概要を示す模式図である。
【図６】本発明の実施形態における処理手順を示すシーケンス図である。
【図７】従来における処理概要を示す模式図である。
【発明を実施するための形態】
【００１２】
本発明の実施形態の撮影システムについて図面を用いて以下説明する。なお、各図中、同一又は相当する部分には同一の符号を付しており、その重複説明は適宜に簡略化乃至省略する。また、以下に記載する実施形態は本発明の最良の形態であって、本発明に係る特許請求の範囲を限定するものではない。
【００１３】
＜本実施形態における撮影システムの概略構成について＞
本実施形態における撮影システムの概略構成について図１を参照して説明する。本実施形態における撮影システム１は、撮影指示装置１０と撮影装置２０とがネットワーク３０を介して接続されて構成されている。
【００１４】
なお、撮影指示装置１０としては、通信機能や情報処理機能を備え、撮影装置２０に撮影を指示することが可能な装置であればよい。撮影指示装置１０としては、例えばパーソナルコンピュータ等の情報処理装置であってもよい。また、撮影指示装置１０が撮影部を備えていてもよく、例えばスマートフォン等のカメラ付き携帯端末であっても、情報処理機能及び通信機能を備えるデジタルカメラでもよい。
【００１５】
また、撮影装置２０としては、通信機能を備えるデジタルカメラ等であればよいが、上記のカメラ付き携帯端末であってもよい。なお、本図では撮影装置２０を１台としているが、これに限定されず、２台以上であってもよい。
【００１６】
さらに、ネットワーク３０は、無線ＬＡＮ通信であることが好ましいが、これに限定されず、例えばＢｌｕｅｔｏｏｔｈ（登録商標）等の短距離無線通信であってもよい。また、本実施形態においても、ネットワーク３０を無線通信ネットワークを利用したものとして説明しているが、有線通信ネットワークであってもよい。
【００１７】
＜本実施形態における撮影指示装置のハードウェア構成について＞
本実施形態における撮影指示装置１０のハードウェア構成について図２を参照して説明する。本実施形態における撮影指示装置１０は、ハードウェア構成として、ＣＰＵ１１、ＲＡＭ１２、ＲＯＭ１３、ＮＷ  Ｉ／Ｆ１４、タイマー１５、表示部１６を備える。なお、これらは例示であってこれに限られず、これら以外のハードウェア構成が加わる余地を排除するものではない。また、表示部１６は本発明を実施する上で必須でなくてもよい。
【００１８】
ＣＰＵ１１は、撮影指示装置１０における全体制御を司る制御部として機能する。ＣＰＵ１１は、後述する本実施形態に係る処理を実現するため他のハードウェアを制御する。
【００１９】
ＲＡＭ１２は、ＣＰＵ１１が各種処理を行う上でのワークメモリとして機能する。ＲＯＭ１３は、撮影指示装置１０が有する機能を実行するために必要な各種パラメータや、本実施形態における処理をＣＰＵ１１に実行させるための各種処理プログラムを記憶するメモリとして機能する。ＣＰＵ１１は、ＲＯＭ１３に記憶された処理プログラムをＲＡＭ１２に読み込んで、処理プログラムを実行する。
【００２０】
ＮＷ  Ｉ／Ｆ１４は、撮影装置２０との通信を実現するためのネットワークインタフェースである。タイマー１５は、撮影指示装置１０における時刻をカウントする。表示部１６は、例えばタッチパネルを搭載した液晶ディスプレイ等であり、例えばユーザのタッチ操作を受け付ける操作画面を表示する。また、撮影指示装置１０が撮影機能を有する場合は、表示部１６は撮影した撮影画像を表示することもできる。
【００２１】
＜本実施形態における撮影装置のハードウェア構成について＞
次に、本実施形態における撮影装置２０のハードウェア構成について図３を参照して説明する。本実施形態における撮影装置２０は、ハードウェア構成として、ＣＰＵ２１、ＲＡＭ２２、ＲＯＭ２３、ＮＷ  Ｉ／Ｆ２４、タイマー２５、撮影部２７を備える。
【００２２】
なお、これらは例示であってこれに限られず、これら以外のハードウェア構成が加わる余地を排除するものではない。例えば、表示部を備えてもよい。さらに、ＨＤＤ（Ｈａｒｄ  Ｄｉｓｋ  Ｄｒｉｖｅ）や例えばＵＳＢ（Ｕｎｉｖｅｒｓａｌ  Ｓｅｒｉａｌ  Ｂｕｓ）メモリ等の外部記憶媒体の入力インタフェースを備える構成であってもよい。
【００２３】
ＣＰＵ２１は、撮影装置２０における全体制御を司る制御部として機能する。ＣＰＵ２１は、後述する本実施形態に係る処理を実現するため、他のハードウェアを制御する。
【００２４】
ＲＡＭ２２は、ＣＰＵ２１が各種処理を行う上でのワークメモリとして機能する。ＲＯＭ２３は、撮影装置２０が有する機能を実行するために必要な各種パラメータや、本実施形態における処理をＣＰＵ２１に実行させるための各種処理プログラムを記憶するメモリとして機能する。ＣＰＵ２１は、ＲＯＭ２３に記憶された処理プログラムをＲＡＭ２２に読み込んで、処理プログラムを実行する。
【００２５】
ＮＷ  Ｉ／Ｆ２４は、撮影指示装置１０との通信を実現するためのネットワークインタフェースである。タイマー２５は、撮影装置２０における時刻をカウントする。撮影部２７は、被写体を撮影して、撮影画像を得る。撮影部２７は、ＣＣＤ（Ｃｈａｒｇｅ  Ｃｏｕｐｌｅｄ  Ｄｅｖｉｃｅｓ）やＣＭＯＳ等の撮像素子、撮像対象の像を撮像素子に結像させるレンズからなる。また、撮影装置２０が表示部を有する場合は、該表示部に撮影した撮影画像を表示することもできる。
【００２６】
＜本実施形態における撮影システムの機能ブロックについて＞
本実施形態における撮影システム１を構成する撮影指示装置１０と撮影装置２０の機能ブロックについて図４を参照して説明する。本実施形態における撮影指示装置１０は、機能ブロックとして送信部１０１を備える。撮影装置２０は、機能ブロックとして、受信部２０１、撮影制御部２０２、記憶部２０３、決定部２０４、時間管理部２０５を備える。
【００２７】
送信部１０１は、撮影装置２０に連続撮影要求を送信する送信手段であり、図２に示したＣＰＵ１１、ＮＷ  Ｉ／Ｆ１４によりその機能が実現される。また、送信部１０１は、連続撮影要求から所定時間後に本撮影要求を送信する。なお「所定時間」といっても、その長短に関して限定されるものではない。なお、送信部１０１としているが、撮影装置２０からデータを受信する受信部として機能できることは言うまでもない。
【００２８】
受信部２０１は、撮像指示装置１０から連続撮影要求を受信する受信手段であり、図３に示したＣＰＵ２１、ＮＷ  Ｉ／Ｆ２４によりその機能が実現される。また、受信部２０１は、撮像指示装置１０から連続撮影要求を受信した所定時間後に本撮影要求を受信する。
【００２９】
撮影制御部２０２は、受信部２０１により連続撮影要求を受信したとき、撮影部２７に連続撮影させる撮影制御手段であり、図３に示したＣＰＵ２１によりその機能が実現される。
【００３０】
記憶部２０３は、撮影部２７により連続撮影された画像に該画像が撮影された時刻を特定する時刻情報を関連付けて記憶する記憶手段である。記憶部２０３の上記機能は、図３に示したＣＰＵ２１、タイマー２５、ＲＯＭ２３により実現される。
【００３１】
決定部２０４は、受信部２０１により本撮影要求を受信したとき、該本撮影要求に含まれる時刻情報で特定される時刻に近い時刻に撮影された画像を、記憶部２０３に記憶された画像の中から決定する決定手段である。決定部２０４は、図３に示したＣＰＵ２１、タイマー２５、ＲＡＭ２２、ＲＯＭ２３によりその機能が実現される。
【００３２】
時間管理部２０５は、撮影指示装置１０における時刻を特定する時刻情報に基づいて、撮影指示装置１０における時刻と自装置における時刻とを合わせる時間管理手段である。時間管理部２０５は、ＣＰＵ２１、ＲＡＭ２２、タイマー２５によりその機能が実現される。なお、撮影指示装置１０の送信部１０１は、撮影指示装置１０における時刻情報を撮影装置２０に送信するが、送信タイミングとしては、所定の時間間隔で定期的に送信しても、ユーザが設定したタイミングで送信してもよい。
【００３３】
時間管理部２０５は、受信部２０１により連続撮影要求を受信したときに、撮影指示装置１０における時刻に自装置における時刻を合わせてもよい。これにより、時刻を合わせるタイミングを撮影時間に近づけて、撮影装置２０における時刻のズレから生じる誤差を軽減することが可能になる。
【００３４】
また、時間管理部２０５は、受信部２０１により本撮影要求を受信したとき、撮影指示装置１０における時刻と自装置における時刻とを合わせてもよい。そして、決定部２０４は、本撮影要求に含まれる時刻情報で特定される時刻に近い時刻に撮影された画像を記憶部２０３に記憶された画像の中から決定する。この際、決定部２０４は、時間管理部２０５により撮影指示装置１０における時刻情報に合わせられた自装置における時刻情報を参照する。これにより、撮影装置２０に発生する時刻情報の誤差に起因して撮影画像の時刻にズレが生じることを防止し、撮影画像の撮影時刻の精度を高めることができるため、決定部２０４により決定される画像もより本撮影要求の時刻に近いものとなる。
【００３５】
また、撮影装置２０は、撮影部２７により連続撮影された画像のうち、決定部２０４により決定された画像以外の画像を削除することが好ましい。これにより、本撮影要求が行われた時刻に近い時刻に撮影された画像だけが残ることとなるため、その他の画像が記憶部２０３に記憶されたままとなることで、ＲＯＭ２３等の記憶領域が占有される状態になることを防ぐことができる。
【００３６】
＜本実施形態における処理概要について＞
本実施形態における処理概要について図５を参照して説明する。ここでは前提として、撮影指示装置１０と撮影装置２０が同じ無線ネットワークに参加し、双方向通信可能な状態になっているものとする。
【００３７】
まず、撮影指示装置１０と撮影装置２０とが、ある基準時点からの経過時間を同期させる。例えば、同期時間に時刻を用いる。時刻同期用のプロトコルとしては、例えばｎｔｐ（ｎｅｔｗｏｒｋ  ｔｉｍｅ  ｐｒｏｔｏｃｏｌ）等を利用すればよい。
【００３８】
次に、撮影者が撮影指示装置１０に撮影の準備を指示する（以下、この指示を「撮影準備指示」という。）。なお、撮影準備指示は、専用の準備指示である必要はない。撮影準備指示は、例えばシャッターボタンを半押ししてピント調整を行う行動に割り当ててもよい。また、撮影準備指示は、表示部に表示されたボタンへのタッチ開始を行う行動に割り当ててもよい。
【００３９】
撮影指示装置１０は撮影装置２０に連続撮影開始を要求する。この時刻を「２０１６／０１／０１  １５：５９：５９．８００」とする。他方、撮影装置２０は、連続撮影開始要求を受けると、撮影を繰り返す。この時刻を「２０１６／０１／０１  １５：５９：５９．９００」とする。なお、繰り返し撮影のインターバルは撮影装置２０の撮影能力に依存して決定される。ここでは、例えば「３３ｍｓ」のインターバルで繰り返し撮影が可能であるとする。
【００４０】
画像が記憶部２０３に１枚記録されたときに、時間管理部２０５から開始時間からの時間情報を取得し、画像と時間を記録した写真ファイルを記憶部２０３に書き出す。
【００４１】
撮影者が撮影指示装置１０に撮影を指示する（以下、この指示を「撮影指示」という。）。撮影指示は、例えばシャッターボタンの全押しに割り当てても良い。また、撮影指示は、表示部１６に表示されたボタンから指が離す行動に割り当てても良い。
【００４２】
撮影指示装置１０は、撮影装置２０に撮影指示を時間付きで送信する。ここでは、撮影指示時刻が「２０１６／０１／０１  １６：００：００．０００」であるとする。
【００４３】
撮影装置２０は、撮影指示を受信すると、撮影指示時刻「２０１６／０１／０１  １６：００：００．０００」に最も近い時刻に撮影された撮影画像を記憶部２０３から探し、その撮影画像を、撮影指示を受けたことによって撮られた撮影画像だとみなす。そして、撮影装置２０は、その他の撮影画像を記憶部２０３から削除する。
【００４４】
このとき、撮影装置２０は「３３ｍｓ」周期で撮影していたため、「２０１６／０１／０１  １５：５９：５９．９９９」の時刻に撮影された撮影画像が一番近い撮影画像であるということになる。これにより、従来は通信時間分のタイムラグが必ず発生していたが、本実施形態によれば、撮影装置２０の連続撮影時間間隔の半分までタイムラグを小さくすることができる。その結果、品質が安定しないことが一般的な無線ネットワーク下においても、システムの安定性を保つことが可能である。
【００４５】
＜本実施形態における処理手順について＞
本実施形態における処理手順について図６を参照して説明する。ここでは、撮影指示装置１０と撮影装置２０とが無線通信ネットワークを介して双方向接続可能な状態になっているものとする。なお、本図では、受信部２０１を通信部２０１ａとして説明する。
【００４６】
撮影装置２０は、撮影指示装置１０との同期処理に際し、まず時間管理部２０５から通信部２０１ａに撮影指示装置１０から同装置の時刻を取得するよう要求する［１．０］。そして、通信部２０１ａは撮影指示装置１０へ時刻取得を要求する［１．１］。
【００４７】
時刻取得要求を受信した撮影指示装置１０は、自装置の時刻情報をつけて撮影装置２０の通信部２０１ａに時刻応答を送信する［１．２］。通信部２０１ａは時間管理部２０５に受信した時刻応答を送る［１．３］。これにより、撮影指示装置１０と撮影装置２０との同期処理が完了する。
【００４８】
次に、撮影者が撮影指示装置１０に対し撮影準備指示を行う［２．０］。これを受けて、撮影指示装置１０は撮影装置２０の通信部２０１ａに連続撮影開始要求を送信する［２．１］。そして、通信部２０１ａは撮影制御部２０２に連続撮影開始を指示する［２．２］。
【００４９】
撮影制御部２０２が撮影部２７に撮影を指示すると［２．３］、撮影部２７は撮影を行い［２．４］、時間管理部２０５から撮影時の時刻を取得し［２．５］、時刻つきの撮影画像を記憶部２０３に保存する［２．６］。本処理は、撮影指示装置１０からの連続撮影開始要求に含まれる連続撮影時間設定に基づいて所定時間繰り返される。
【００５０】
その後、撮影者が本撮影要求である撮影指示を撮影指示装置１０に行うと［３．０］、撮影指示装置１０は撮影装置２０の通信部２０１ａに本撮影要求を送信する［３．１］。
【００５１】
通信部２０１ａは本撮影要求を受信すると、通信部２０１ａは決定部２０４に本撮影要求を送る［３．２］。これを受けた決定部２０４は、本撮影要求がされた時刻に近い時刻に撮影された撮影画像が記憶部２０３に記憶された撮影画像の中から決定する［３．３］。
【００５２】
以上、上述した撮影システムによれば、例えば、シャッターボタンを持つ撮影指示装置１０が、事前準備としてピント調整が完了した段階で、連続撮影要求を撮影装置２０に送り、撮影装置２０は連続撮影を開始する。そして、撮影画像ごとに撮影された時刻情報と紐付け、次に撮影指示装置１０から送られた本撮影要求により、撮影装置２０は連続撮影された撮影画像の中から、本撮影要求の時刻に最も近い時刻に撮影された撮影画像を決定する。よって、撮影の即時性が失われることを防止することができる。
【００５３】
なお、上述する各実施の形態は、本発明の好適な実施の形態であり、本発明の要旨を逸脱しない範囲内において種々変更実施が可能である。例えば、上述した本実施形態の撮影システム、撮影指示装置、及び撮影装置における各処理を、ハードウェア、又は、ソフトウェア、あるいは、両者の複合構成を用いて実行することも可能である。
【００５４】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００５５】
また、本実施形態においては、本撮影要求の時刻に近い時刻に撮影された撮影画像をそれまでに行った連続撮影された撮影画像の中から時刻情報を元に決定する構成としている。他方、本発明としては、これを含む上位概念として、本撮影要求の時刻に近い時刻に撮影された撮影画像をそれまでに撮影された撮影画像の中から決定する構成に上位概念化することができる。
【００５６】
例えば、撮影準備指示を受けた撮影装置側で次に本撮影要求が送信されると想定される時刻を所定の経験則のもとに算出し、算出された時刻の前後を含む時間帯において予め撮影した撮影画像をメモリ等に記憶しておくことによっても、本発明によるものと同等の効果を奏することが可能である。これによれば、撮影準備指示から連続撮影を行う必要がなくなるため、撮影装置にかかる装置負荷を軽減することが可能である。
【００５７】
なお、上述した本実施形態は本発明の範囲を限定するものではない。例えば、撮影指示装置１０が、撮影制御部２０２や決定部２０４等の本実施形態においては撮影装置２０における構成を含む構成であってもよい。また、撮影システムを構成する撮影指示装置１０は複数あってもよい。さらに、本実施形態における撮影指示装置１０と撮影装置２０とが接続されたシステム構成は一例であって、用途や目的に応じて様々なシステム構成例があることは言うまでもない。
【符号の説明】
【００５８】
１    撮影システム
１０    撮影指示装置
１１、２１    ＣＰＵ
１２、２２    ＲＡＭ
１３、２３    ＲＯＭ
１４、２４    ＮＷ  Ｉ／Ｆ
１５、２５    タイマー
１６    表示部
２０    撮影装置
２７    撮影部
３０    ネットワーク
１０１    送信部
２０１    受信部
２０１ａ    通信部
２０２    撮影制御部
２０３    記憶部
２０４    決定部
２０５    時間管理部
【先行技術文献】
【特許文献】
【００５９】
【特許文献１】特開２０１２−０７０３３６号公報
【図１】
2017118303.tif 000003
【図２】
2017118303.tif 000004
【図３】
2017118303.tif 000005
【図４】
2017118303.tif 000006
【図５】
2017118303.tif 000007
【図６】
2017118303.tif 000008
【図７】
2017118303.tif 000009